(57)【特許請求の範囲】
【請求項１】
隊列走行可能な所定のサービス区間において、前方車両及び／または後方車両、並びに道路設備側の通信機器との通信を行いながら、それら車両と隊列を編成した状態で自車両が走行するように制御する車両用制御装置であって、
自車両が隊列走行中であるか否かを判定する判定手段と、
前記判定手段によって隊列走行中であると判定されたときに、運転席のシートバックの傾斜角が所定角度より大きく傾けられることを禁止する禁止手段と、
を備えることを特徴とする車両用制御装置。
【発明の詳細な説明】
【０００１】
【発明の属する技術分野】
本発明は、車両用制御装置に関し、例えば、ドライバにより運転される自動車等の車両が隊列走行するように制御する車両用制御装置に関する。
【０００２】
【従来の技術】
従来より、代表的な車両である自動車の分野においては、複数の自動車が隊列を編成した状態で自動的に走行する隊列走行システムが、例えば特開平９−０８１８９９号や特開平１１−３２１３８０号等に提案されている。
【０００３】
【発明が解決しようとする課題】
係る従来の隊列走行システムによれば、ドライバの運転操作に対する負担が軽減されると共に、道路上のトラフィックの効率が改善されるが、隊列走行モードにおけるドライバの覚醒度（即ち、自動的な走行状態に対するドライバの集中度）が過度に低下することは、安全な走行をする上で好ましくない。
【０００４】
そこで本発明は、ドライバの覚醒度が過度に低下した状態における隊列走行を防止する車両用制御装置の提供を目的とする。
【０００５】
【課題を解決するための手段】
上記の目的を達成するため、本発明に係る車両用制御装置は、隊列走行可能な所定のサービス区間において、前方車両及び／または後方車両、並びに道路設備側の通信機器との通信を行いながら、それら車両と隊列を編成した状態で自車両が走行するように制御する車両用制御装置であって、
自車両が隊列走行中であるか否かを判定する判定手段と、前記判定手段によって隊列走行中であると判定されたときに、運転席のシートバックの傾斜角が所定角度より大きく傾けられることを禁止する禁止手段とを備えることを特徴とする。
【０００８】
【発明の効果】
上記の本発明によれば、ドライバの覚醒度が過度に低下した状態における隊列走行を防止する車両用制御装置の提供が実現する。
【０００９】
即ち、請求項１の発明によれば、自動的な隊列走行が行われているときには運転席のシートバックが大きく倒されることを禁止するので、ドライバの覚醒度が過度に低下した状態における隊列走行を防止することができる。
【００１２】
【発明の実施の形態】
以下、本発明に係る車両用制御装置を、ドライバが自らの意思で運転可能な自動車等の車両に適用した実施形態として、図面を参照して詳細に説明する。
【００１３】
はじめに、以下に説明する本実施形態において、図２０乃至図２７に示す１から１６までの丸付きの番号が付された各表示画面は、明細書の表現上の都合により、表示画面１乃至表示画面１６に対応する。
【００１４】
尚、本実施形態では、同じ進行方向に並行する車線が２車線有り、そのうち一方の車線が所定のサービス区間において隊列走行可能な車線であり、他方の車線はドライバの運転操作によるマニュアル走行専用の車線である場合を前提とする。
【００１５】
また、本実施形態では、上記のサービス区間における自動的な隊列走行中であっても、各車両のドライバは、自車両の運行から完全に解放されて、安定走行のための覚醒状態が、例えば居眠りをするほど低下してしまうことは禁止されているシステムを前提とする。
【００１６】
はじめに、本実施形態における車両用制御装置のハードウエアの構成を説明する。
【００１７】
図１は、本実施形態における車両用制御装置のシステム全体の構成を示すブロック構成図であり、大別して、車両制御ユニット１の制御処理による隊列走行制御系、ナビゲーション制御ユニット２の演算処理によるナビゲーション制御系、覚醒度判定ユニット３の演算処理によるドライバの覚醒度判定系、並びにシート姿勢制御ユニット４の制御処理による運転席のシートバックのリクライニング角度制御系の４つのサブシステムからなる。以下、個々のサブシステムの構成について、図１を参照して説明する。
【００１８】
＜隊列走行制御系＞
１１は、隊列走行のサービス区間において、自車両を隊列に合流させるようにドライバが設定可能な隊列合流スイッチである。１２は、隊列走行中の自車両を、隊列の中から離脱させるようにドライバが設定可能な隊列離脱スイッチである。
【００１９】
１３は、道路側の通信設備（所謂インフラ）との各種情報の送受信を行う路車間通信機であり、隊列走行のサービス終了位置、車線数、勾配、曲率、隊列速度、前方に存在する障害物に関する情報等を入手する。１４は、自車両の前方を走行する他車両との車間距離を検出するレーザーレーダ、或いはミリ波レーダ等の距離センサである。
【００２０】
１５は、自車両の周囲に存在する他車両との各種情報の送受信を行う車車間通信機であり、本実施形態では先行車及び後続車の車速、加速度を受信すると共に、自車両の車速及び加速度を自車両の周囲に存在する他車両に対して送信する。
【００２１】
１６は、走行すべき走行路を示すレーンマーカからの情報を検出することにより、その走行路に対する自車両の横位置、並びに、隊列走行のサービス開始地点（所定の基準地点からの道のり（走行距離））を検出するレーンマーカセンサであり、例えば、予め路面に埋設された磁気ネイルから受信した磁気に基づいて横位置を検出する。１７は、自車両の車速を検出する車速センサである。
【００２２】
１８は、自車両の速度を調整するエンジンスロットルの開度調整用アクチュエータ、ブレーキ用アクチュエータ、自動変速機等の加減速制御用アクチュエータである。１９は、自車両の進行方向を変えるステアリングアクチュエータ等の操舵系アクチュエータである。
【００２３】
２０は、マニュアル走行において遵守すべき車速等の各種情報や、隊列走行に関する各種情報等が表示される隊列走行用ディスプレイである。
【００２４】
そして、車両制御ユニット１は、上述した路車間通信機１３、距離センサ１４、車車間通信機１５、レーンマーカセンサ１６等により入手した情報に基づいて、スロットル、ブレーキアクチュエータ、或いは自動変速機等の加減速制御用アクチュエータ１８や操舵系アクチュエータ１９を制御することにより、他車両との隊列走行が可能な車線に自車両を自動的にまたは半自動的に合流させ、且つその車線において他車両との隊列走行を制御する（詳細は図２及び図４を参照して後述する）。
【００２５】
一般に、隊列走行が自動的に行われている場合における前後の他車両との車間距離は、ドライバが自らの操作によってマニュアル走行してる場合と比較してかなり短く、指定される隊列速度にドライバがマニュアル操作によって自車両を追従させることはかなり困難であるが、車両制御ユニット１による加減速制御を行えば、複数の車両により前後方向に短い車間距離で隊列を組ませることができる。ここで、自車両が守るべき隊列速度は、路車間通信機１３を介してインフラ側から入手しても、或いは、車車間通信機１５を介して自車両が属する隊列の先頭を走行する他車両から入手しても良い。車両制御ユニット１には、不図示のマイクロコンピュータが搭載されており、予めメモリに格納されたプログラムやパラメータに従って、ＣＰＵが動作することにより、隊列走行制御処理を実現する。
【００２６】
＜覚醒度判定系＞
２１は、自車両の前方を撮影するところの、例えばＣＣＤ(Charge Coupled Device)等の撮像素子を備える撮影装置である。覚醒度判定ユニット３は、撮影装置２１によって撮影された画像に基づいて、自車両が位置する車線を区画するライン（白線等）を一般的な画像処理によって検出すると共に、検出したラインから自車両が逸脱した回数に基づいて、ドライバの覚醒状態の度合を判定する（詳細は図５を参照して後述する）。この判定の結果は、車両制御ユニット１に送られ、後述する処理に利用される。覚醒度判定ユニット３には、不図示のマイクロコンピュータが搭載されており、予めメモリに格納されたプログラムやパラメータに従って、ＣＰＵが動作することにより、これらの覚醒度判定処理を実現する。
【００２７】
＜ナビゲーション制御系＞
２２は、外部装置とのデータ送受信を行う無線通信機であり、本実施形態では、外部の無線基地局を介して、地図情報配信センタ２００、或いは据置型や携帯型の情報機器（端末）３００等とのデータ通信を行う。
【００２８】
２３は、外部から受信したＧＰＳ（グローバル・ポジショニング・システム）信号に基づいて、自車両の現在位置を検出するＧＰＳセンサである。２４は、ナビゲーション制御ユニット２の動作を操作者がオン・オフ設定可能なナビゲーションメインスイッチである。
【００２９】
２５は、所望の目的地の設定、地図画面の縮尺設定、表示態様の設定等を行うナビゲーション機能選択スイッチである。２６は、ナビゲーション機能選択スイッチ２５によって選択された機能や設定された情報を、ドライバがナビゲーション制御ユニット２に実行させるように指示可能な実行指示スイッチである。また、２７は、同様にして選択された機能や設定された表示態様をキャンセル可能なキャンセルスイッチである。
【００３０】
２８は、表示された地図画面を、操作者が上下左右にスクロール可能な地図スクロールスイッチである。２９は、地図画面の表示に使用される地図情報が記憶されている地図情報記憶モジュールであり、ＤＶＤ−ＲＯＭ等の記憶媒体等に予め格納された地図情報を読み出し可能なドライバであっても、後述する地図情報配信センタ２００から受信した地図情報を記憶する記憶デバイスであっても良い。
【００３１】
３０は、外部よりテレビジョン信号を受信するテレビアンテナである。３１は、地図画像や各種の機能選択画面、或いはテレビジョン画面等を表示するナビゲーション用ディスプレイである。
【００３２】
ナビゲーション制御ユニット２は、上述した各スイッチの設定に従って、ＧＰＳセンサ２３によって検出された現在位置を含む地図画像の表示や、設定された所望の目的地への経路誘導等を行う。ナビゲーション制御ユニット２には、不図示のマイクロコンピュータが搭載されており、予めメモリに格納されたプログラムやパラメータに従って、ＣＰＵが動作することにより、これらのナビゲーション制御処理を実現する（詳細は図１０乃至図１８、図２０乃至図３０を参照して後述する）。
【００３３】
尚、リモートコントロール端末３５は、ナビゲーション制御ユニット２との通信が可能であって、上述したナビゲーションメインスイッチ２４や機能選択スイッチ２５、実行スイッチ２６並びにキャンセルスイッチ２７の機能を備える。
【００３４】
＜リクライニング角度制御系＞
シート姿勢制御ユニット４は、シートバックの角度を所望の角度に調整可能なリクライニング角度調整スイッチ３４の操作に応じて、運転席のシートバック４１の傾斜角度θを検出するリクライニング角度センサ３２の検出結果を参照しながらリクライニング角度調整機構３３を駆動することにより、シートバック４１の傾斜角度を調整する（図７参照：詳細は図６を参照して後述する）。本実施形態において、リクライニング角度調整スイッチ３４は、後端部３４ａを中心に上下に回動可能に構成されており、乗員が図７に実線で示す位置から破線で示す上方向または下方向に回動操作を行うのに応じて、シートバック４１は、傾斜角度θを小さく（起こす方向に遷移）、または大きく（倒す方向に遷移）する。シート姿勢制御ユニット４には、不図示のマイクロコンピュータが搭載されており、予めメモリに格納されたプログラムに従ってＣＰＵが動作することにより、リクライニング角度調整スイッチ３４の回動操作に応じたシートバック姿勢制御処理を実現する。
【００３５】
尚、上述した各種センサの検出方法や、通信機の構成自体は、現在では一般的であるため、本実施形態における詳細な説明は省略する。
【００３６】
以下、上記の各制御・判定ユニットが行う処理手順を説明する。
【００３７】
［隊列走行制御処理］
図２及び図４は、本実施形態における車両制御ユニット１が行う隊列走行制御処理を示すフローチャートであり、イグニッションスイッチ（不図示）がオン状態に操作されることによって処理が開始される。
【００３８】
図２において、ステップＳ１：図１を参照して上述した路車間通信機１３等の各通信機による受信データ、距離センサ１４等の各種センサの検出結果、シート姿勢制御ユニット４からのシートバック４１の傾斜角度θ、覚醒度判定ユニット３におけるドライバの覚醒度の判定結果を表わす覚醒度低下判定フラグＦＷの状態を入力する。
【００３９】
ステップＳ２：レーンマーカセンサ１６による検出結果等に基づいて、自車両が隊列走行レーン（隊列走行のサービス区間）内を走行しているかを判断し、この判断でＹＥＳ（隊列走行レーンを走行中）のときにはステップＳ３に進み、ＮＯ（マニュアル走行レーンを走行中）のときには図４のステップＳ１８に進む。
【００４０】
ステップＳ３：隊列走行モードであるかを判別する内部処理用の隊列走行モードフラグＦＴが１（隊列走行モード）にセットされているかを判断し、この判断でＹＥＳ（ＦＴ＝１）のときにはステップＳ１２に進み、ＮＯ（ＦＴ＝０：マニュアル走行モード）のときにはステップＳ４に進む。
【００４１】
ステップＳ４，ステップＳ６：覚醒度低下判定フラグＦＷが覚醒度が低いことを表わす１にセットされているかを判断し（ステップＳ４）、この判断でＮＯ（ＦＷ＝０：覚醒度が高い）のときにはステップＳ５に進み、ＹＥＳ（ＦＷ＝１）のときには、ドライバの注意を喚起すべく、隊列走行用ディスプレイ２０に「覚醒度が低下しています。隊列に入ることはできません。パーキングエリアで休憩をお取りください」と表示し（ステップＳ６）、ステップＳ１にリターンする。
【００４２】
ステップＳ５，ステップＳ８：シートバック４１の傾斜角度θが所定値Ｐより大きな値であるかを判断し（ステップＳ５）、この判断でＮＯ（θ≦Ｐ）のときにはステップＳ７に進み、ＹＥＳ（θ＞Ｐ）のときには、ドライバの注意を喚起すべく、隊列走行用ディスプレイ２０に「運転席のシートバックが倒れています。隊列に入ることはできません。シートバックを起こしてください」と表示し（ステップＳ８）、ステップＳ１にリターンする。
【００４３】
ステップＳ７：ドライバが覚醒状態であって且つシートバック４１の傾斜角度θが十分に起立した状態であるので、路車間通信機１３、車車間通信機１４の受信データ等に基づいて、隊列走行モードに移行する。即ち、先行車との隊列を編制するように、加減速制御用アクチュエータ１８及び操舵制御用アクチュエータ１９を制御する。
【００４４】
ステップＳ９，ステップＳ１０：隊列の形成が完了したかを判断し（ステップＳ９）、この判断でＹＥＳ（隊列の形成完了）のときにはステップＳ１１に進み、ＮＯ（隊列形成中）のときには、隊列走行用ディスプレイ２０に「隊列形成中」と表示し（ステップＳ１０）、ステップＳ７に戻る。
【００４５】
ステップＳ１１：隊列走行モードフラグＦＴを１にセットし、図３のステップＳ１２に進む。
【００４６】
図３において、ステップＳ１２：隊列走行用ディスプレイ２０に「隊列走行モードを実行中」と表示する。
【００４７】
ステップＳ１３：隊列離脱スイッチ１２の操作が行われたかを判断し、この判断でＹＥＳ（当該スイッチの操作あり）のときにはステップＳ１４に進み、ＮＯ（当該スイッチの操作無し）のときにはステップＳ１にリターンする。
【００４８】
ステップＳ１４：路車間通信機１３、車車間通信機１４の受信データ等に基づいて、非隊列走行モードに移行する。即ち、隊列を編制した状態で走行しているレーンから隣接するマニュアル走行レーンにレーンチェンジをするように、加減速制御用アクチュエータ１８及び操舵制御用アクチュエータ１９を制御する。
【００４９】
ステップＳ１５，ステップＳ１６：非隊列走行モードへの移行を完了したかを判断し（ステップＳ１５）、この判断でＹＥＳ（隊列からの離脱完了）のときにはステップＳ１７に進み、ＮＯ（隊列離脱中）のときには、隊列走行用ディスプレイ２０に「隊列離脱中」と表示し（ステップＳ１６）、ステップＳ１４に戻る。
【００５０】
ステップＳ１７：隊列走行モードフラグＦＴを０にリセットし、ステップＳ１にリターンする。
【００５１】
図４において、ステップＳ１８，ステップＳ１９：路車間通信機１３の受信データに基づいて、前方１キロメートル先に隊列走行レーンが存在するかを判断し（ステップＳ１８）、この判断でＮＯ（隊列走行レーン無し）のときにはステップＳ２０に進み、ＹＥＳ（隊列走行レーン有り）のときには、隊列走行用ディスプレイ２０に「前方に隊列走行レーンが有ります」と表示する（ステップＳ１９）。
【００５２】
ステップＳ２０〜ステップＳ２２：路車間通信機１３に受信データにより、走行路内（自車両が走行中の車線の側方：即ち、隣接車線）に隊列走行レーンが存在するかを判断し、この判断でＮＯ（隊列走行レーン無し）のときにはステップＳ２２に進み、ＹＥＳ（隊列走行レーン有り）のときには、隊列走行用ディスプレイ２０に「隊列走行のサービス区間（隊列走行可能区域）です」と表示し（ステップＳ２１）、隊列合流スイッチ１１の操作が行われたかを判断する（ステップＳ２２）。そして、ステップＳ２２の判断でＹＥＳ（当該スイッチの操作あり）のときにはステップＳ２３に進み、ＮＯ（当該スイッチの操作無し）のときにはステップＳ１にリターンする。
【００５３】
ステップＳ２３〜ステップＳ２６：上述したステップＳ４乃至ステップＳ６、ステップＳ８と同様な処理を行う。
【００５４】
ステップＳ２７，ステップＳ２８：走行路内に隊列走行レーンが有るかを判断し（ステップＳ２７）、この判断でＮＯ（隊列走行レーン無し）のときにはステップＳ１にリターンし、ＹＥＳ（隊列走行レーン有り）のときには、上述したステップＳ７と同様な制御によって隊列走行モードに移行し（ステップＳ２８）、ステップＳ９に戻る。
【００５５】
［覚醒度判定処理］
図５は、本実施形態における覚醒度判定ユニット３が行う覚醒度判定処理を示すフローチャートであり、イグニッションスイッチ（不図示）がオン状態に操作されることによって処理が開始される。
【００５６】
同図において、ステップＳ３１，ステップＳ３２：撮影装置２１による撮影画像を入力し（ステップＳ３１）、その撮影画像に基づいて、一般的な手法により、車線を区画するライン（白線等）に対する自車両の位置を検出する（ステップＳ３２）。
【００５７】
ステップＳ３３〜ステップＳ３５：所定時間内における自車両の当該ラインに対するふらつき回数（当該ラインから逸脱した回数）を計数し、計数した回数が所定値（覚醒度が低下していると判断可能な、実験によって予め求めた値である）より大きいかを判断し（ステップＳ３３）、この判断でＮＯ（ふらつき回数が所定値より小）のときには、ドライバの覚醒度の低下を表わす覚醒度低下フラグＦＷを０にリセットし（ステップＳ３４）、ＹＥＳ（ふらつき回数が所定値以上）のときには覚醒度低下フラグＦＷを１にセットし（ステップＳ３５）、ステップＳ３１にリターンする。
【００５８】
上述した覚醒度判定処理の判定結果（覚醒度低下フラグＦＷ）を利用する隊列走行制御処理によれば、ドライバの覚醒度が過度に低下しているときには、自動的な隊列走行モードへの遷移が禁止されるので、ドライバの覚醒度が過度に低下した状態における隊列走行を防止することができる。
【００５９】
［シートバック姿勢制御処理］
図６は、本実施形態におけるシート姿勢制御ユニット４が行うシートバック姿勢制御処理を示すフローチャートであり、イグニッションスイッチ（不図示）がオン状態に操作されることによって処理が開始される。
【００６０】
同図において、ステップＳ４１：リクライニング角度調整スイッチ３４の操作状態、並びにリクライニング角度センサ３２の検出結果を入力すると共に、車両制御ユニット１から隊列走行モードフラグＦＴの状態を入力する。
【００６１】
ステップＳ４２，ステップＳ４３：リクライニング角度調整スイッチ３４が操作中であるかを判断し（ステップＳ４２）、操作中でないときにはステップＳ４１にリターンし、操作中であるときには、当該スイッチのうちシートバック４１の傾斜角度θが小さくなる起こし側のスイッチが操作されている状態かを判断する（ステップＳ４３）。
【００６２】
ステップＳ４４：ステップＳ４３の判断で起こし側に操作されているときには、本ステップにおいてシートバック４１の傾斜角度θが小さくなるようにリクライニング角度調整機構３３を動作させ、ステップＳ４１にリターンする。
【００６３】
ステップＳ４５，ステップＳ４６：ステップＳ４３の判断で倒し側に操作されているときには、隊列走行モードフラグＦＴが１にセットされているかを判断し（ステップＳ４５）、ＦＴ＝１のときには傾斜角度θが所定角度より大きい状態であるかを判断する（ステップＳ４６）。
【００６４】
ステップＳ４７：ステップＳ４５の判断でＦＴ＝０のとき、または傾斜角度θが所定角度より小さい状態のときには、本ステップにおいてシートバック４１の傾斜角度θが大きくなるようにリクライニング角度調整機構３３を動作させ、ステップＳ４１にリターンする。
【００６５】
ステップＳ４８：ステップＳ４５の判断でＦＴ＝１であって、傾斜角度θが所定角度（ドライバの覚醒度を過度に低下させてしまう可能性が高いと判断可能な、実験によって予め求めた角度である）より大きい状態のときには、本ステップにおいてリクライニング角度調整機構３３によるシートバック４１の動作を中止し、ステップＳ４１にリターンする。
【００６６】
上述したシートバック姿勢制御処理によれば、自動的な隊列走行が行われている隊列走行モードフラグＦＴ＝１のときには、ドライバがリクライニング角度調整スイッチ３４を操作しても、運転席のシートバック４１が大きく倒されることが禁止されるので、ドライバの覚醒度が過度に低下した状態における隊列走行を防止することができる。
【００６７】
［通信ナビゲーションシステム］
次に、上述した各サブシステムからなる車両用制御装置（図１）が搭載された車両が、無線通信機２２を利用して外部の情報配信センタや情報機器とのデータ通信を行う場合について説明する。
【００６８】
図８は、本実施形態における通信ナビゲーションシステムの全体構成を示すブロック図であり、上述した各サブシステムからなる車両用制御装置（図１）が搭載された車両１００、その車両１００がナビゲーション処理に使用する地図情報を配信する道路地図情報配信センタ２００、並びに据置型または携帯型の情報機器（端末）３００からなる。
【００６９】
図８において、車両用制御装置（図１）の無線通信機２２は、無線公衆電話回線を介してインターネットにアクセス可能な携帯電話、或いは通信モジュールである（尚、図８には、図示の便宜上から、図１に示した全ての構成は示していない）。
【００７０】
また、道路地図情報配信センタ２００は、各地域の地図情報及びその地図情報に関連付けされた各種サービス情報（店舗や観光地等の情報等）が予め格納されたデータベースを備えるホストコンピュータ２０１、インターネットにアクセス可能な通信装置２０３、並びに通信装置２０３を介して車両１００や端末３００から要求される地図情報等をホストコンピュータ２０１から取得し、取得した情報を要求元の装置に転送するサーバコンピュータ２０２を備える。
【００７１】
そして端末３００は、インターネットにアクセス可能な通信装置（または通信モジュール）３０１を、別体または一体に備えるところの、据置型のパーソナルコンピュータ、または携帯型の情報端末（ＰＤＡ）である。
【００７２】
以下、このような構成からなる通信ナビゲーションシステムにおける処理の詳細を説明する。
【００７３】
［道路地図情報の配信契約処理］
はじめに、道路地図情報配信センタ２００から地図情報等を取得するのに先立って、車両１００または端末３００と、道路地図情報配信センタ２００との間で行われる配信契約処理について、図９乃至図１２を参照して説明する。
【００７４】
図９は、本実施形態における道路地図情報配信センタ２００（サーバコンピュータ２０２）にて行われる道路地図情報の配信契約処理を示すフローチャートである。また、図１０は、本実施形態における車両１００（ナビゲーション制御ユニット２）または端末３００にて行われる道路地図情報の配信契約処理を示すフローチャートである。これらの処理は、車両１００または端末３００（以下、購入契約端末）からのリクエストにより、道路地図情報配信センタ２００との間で通信回線の確立されるのに応じて開始される。
【００７５】
ステップＳ５１，ステップＳ６１：道路地図情報配信センタ２００は、ステップＳ６１にて購入契約端末から送出された所定の契約手続開始信号を受信するまで待機する（ステップＳ５１）。ここで、購入契約端末が送出する契約手続開始信号は、通信回線が確立されるのに応じて道路地図情報配信センタ２００から受信したデータに従って表示した開始画面＜３−１＞（図１１（ａ）参照）において、「購入します」が操作者によって選択されるのに応じて送信される。
【００７６】
ステップＳ５２，ステップＳ６２：購入契約端末は、ステップＳ５２にて道路地図情報配信センタ２００から送出されたデータに従って、購入者ＩＤ情報記入フォーム＜３−２＞（図１１（ｂ）参照）を表示する（ステップＳ６２）。
【００７７】
ステップＳ５３，ステップＳ６３：道路地図情報配信センタ２００は、ステップＳ６３にて購入者ＩＤ情報記入フォーム＜３−１＞に従って購入契約端末にて入力された購入者ＩＤ情報を受信するまで待機する（ステップＳ５３）。
【００７８】
ステップＳ５４，ステップＳ６４：購入契約端末は、ステップＳ５４にて道路地図情報配信センタ２００から送出されたデータに従って、契約期間リスト・料金体系フォーム＜３−３＞（図１１（ｃ）参照）を表示する（ステップＳ６４）。
【００７９】
ステップＳ５５，ステップＳ６５：道路地図情報配信センタ２００は、ステップＳ６５にて契約期間リスト・料金体系フォーム＜３−３＞に従って購入契約端末にて入力された契約期間情報を受信するまで待機する（ステップＳ５５）。
【００８０】
ステップＳ５６，ステップＳ６６：購入契約端末は、ステップＳ５６にて道路地図情報配信センタ２００から送出されたデータに従って、契約内容確認フォーム＜３−４＞（図１２（ａ）参照）を表示する（ステップＳ６６）。
【００８１】
ステップＳ５７，ステップＳ５８，ステップＳ６７：道路地図情報配信センタ２００は、ステップＳ６７にて契約内容確認フォーム＜３−４＞に入力された確認（契約内容了承）信号または修正信号を受信するかを判断し（ステップＳ５７）、ステップＳ５８にて訂正情報を受信したときにはステップＳ５４に戻り、そうでないときには確認信号を受信するまで待機する。
【００８２】
ステップＳ５９，ステップＳ６８，ステップＳ６９：購入契約端末は、ステップＳ６８において、ステップＳ５９にて道路地図情報配信センタ２００から送出されたデータに従って、購入契約完了のメッセージフォーム＜３−５＞（図１２（ｂ）参照）を表示し、処理を終了する。一方、当該データを受信できないときには、ステップＳ６７にて購入契約端末から訂正信号を送出した場合であるので、ステップＳ６９において、道路地図情報配信センタ２００より改めて契約期間リスト・料金体系フォーム＜３−３＞のデータを受信するまで待機し、受信したデータに従って契約期間リスト・料金体系フォーム＜３−３＞を表示できたときにはステップＳ６５に戻る。
【００８３】
［ナビゲーション制御処理］
次に、上述した配信契約処理がなされた車両１００と道路地図情報配信センタ２００との間で行われる道路地図情報の配信処理を含むナビゲーション制御処理について、図１３乃至図３０を参照して説明する。
【００８４】
＜ナビゲーション制御ユニット２＞
図１３乃至図１８は、本実施形態における車両１００（ナビゲーション制御ユニット２）にて行われるナビゲーション制御処理を示すフローチャートであり、ナビゲーションメインスイッチ２４がオン状態に操作されるのに応じて開始される。
【００８５】
図１３において、ステップＳ７１〜ステップＳ７３：ステップＳ７１にてディスプレイ３１に表示した表示画面Ａ（図２８（ａ））において、「テレビ」が選択されたときにはステップＳ１６１（図１８）に進み、「ナビゲーション」が選択されたときにはステップＳ７４に進み、ディスプレイ３１に表示画面１（図２０（ａ））表示する。
【００８６】
ステップＳ７５〜ステップＳ７７：ステップＳ７５にてディスプレイ３１に表示した表示画面１（図２０（ａ））において、「ＣＤ−ＲＯＭ（ＤＶＤ−ＲＯＭ）情報」が選択されたときには、地図情報記憶モジュール２９に予め用意されているＣＤ−ＲＯＭ（ＤＶＤ−ＲＯＭ）等の記憶媒体の地図情報を利用するべくステップＳ１１１に進み、「配信情報」が選択されたときには、道路地図情報配信センタ２００からナビゲーションに必要な地図情報等を取得すべくステップＳ７８に進み、「終了」が選択されたときには処理を終了し、メインスイッチ２４がオフ状態と同じ状態とする。
【００８７】
ステップＳ７８〜ステップＳ８０：ステップＳ７８にてディスプレイ３１に表示した表示画面４（図２１（ｂ））において、操作者によって所定のＩＤ情報が入力され、且つ「送信」が選択されたときにはステップＳ８０に進み、「戻る」が選択されたときにはステップＳ７４に戻る。
【００８８】
ステップＳ８１〜ステップＳ８３：ステップＳ８１にて道路地図情報配信センタ２００との通信を確立し、操作者によって入力されたＩＤ情報を送信すると共に、ディスプレイ３１に表示画面５（図２２（ａ））を表示し、道路地図情報配信センタ２００から認証完了信号を受信するまで待機する。そして認証が完了したときには、ディスプレイ３１に表示画面６（図２２（ｂ））を表示する。
【００８９】
ステップＳ８４〜ステップＳ８６：ディスプレイ３１に表示画面８（図２３（ｂ））を表示し、道路地図情報配信センタ２００からナビゲーション制御プログラム及び道路地図情報を受信するまで待機する。そして、それらのデータの受信が完了したときには、ディスプレイ３１に表示画面９（図２４（ａ））表示し、ステップＳ８７（図１４）に進む。
【００９０】
ステップＳ１１１〜ステップＳ１１４：ステップＳ７５にて操作者が「ＣＤ−ＲＯＭ情報」を選択したので、現在既に道路地図情報配信センタ２００との間で通信回線が確立された「配信モード」である場合には配信終了する旨の信号を当該センタに送信した後、ディスプレイ３１に表示画面２（図２０（ｂ））を表示し、その後表示画面３（図２１（ａ））を表示し、ステップＳ１１５（図１５）に進む。
【００９１】
次に、図１４において、ステップＳ８７〜ステップＳ９２：表示中の表示画面９（図２４（ａ））において、「情報源選択」が選択されたときにはステップＳ７４（図１３）に進み、「目的地設定」が選択されたときにはステップＳ９３に進み、「現在位置表示・経路誘導」が選択されたときにはステップＳ８８にて目的地が既に設定されているかを判断し、ディスプレイ３１に表示画面１２（図２５（ｂ））を表示し（ステップＳ８９，ステップＳ９０）、ステップＳ１４１（図１６）に進む。このとき、目的地が設定されていないときには、当該画面には地図画像と現在位置を表わすマークとが表示されれ、目的地が設定されているときには、更に経路誘導路が表示される。
【００９２】
ステップＳ９３〜ステップＳ９６：隊列走行モードフラグＦＴ＝１であるとき、或いはＦＴ＝０であっても自車速が０であるときにはディスプレイ３１に表示画面１０（図２４（ｂ））を表示し、一方、隊列走行モードフラグＦＴ＝０であって自車速が０より大きいときには、ディスプレイ３１に所定時間（乗員が表示内容を十分に視認可能な時間であると実験によって予め求めた時間である）にわたって表示画面７（図２３（ａ））を表示した後で表示画面９（図２４（ａ））を表示し、ステップＳ８７に戻る。
【００９３】
ステップＳ９７〜ステップＳ９８，ステップＳ１０２〜ステップＳ１０３：表示中の表示画面１０（図２４（ｂ））において、「目的地マニュアル設定」が選択されたときにはディスプレイ３１に表示画面１１（図２５（ａ））を表示し、後述する端末３００にて設定された目的地を設定可能な「＊月＊日設定の目的地」が選択されたときには、最も最近に外部から受信した目的地設定データに基づいて新たな目的地を設定し、ステップＳ１０４に進む。
【００９４】
ステップＳ９９〜ステップＳ１０１：表示中の表示画面１１（図２５（ａ））における操作者の地図スクロールスイッチ２８による変更操作に応じて、表示中の地図画像をスクロールすると共に、「設定」が選択されたときにはステップＳ１０４に進み、「戻る」が選択されたときにはステップＳ９３に戻る。
【００９５】
ステップＳ１０４：地図画像、現在位置を表わすマーク、並びに設定された目的地がへの経路誘導路が含まれる表示画面１２（図２５（ｂ））をディスプレイ３１に表示し、ステップＳ１４１（図１６）に進む。
【００９６】
次に、図１５において、ステップＳ１１５〜ステップＳ１２０：表示中の表示画面３（図２１（ａ））において、「情報源選択」が選択されたときにはステップＳ７４（図１３）に進み、「目的地設定」が選択されたときにはステップＳ１２１に進み、「現在位置表示・経路誘導」が選択されたときにはステップＳ１１６にて目的地が既に設定されているかを判断し、ディスプレイ３１に表示画面１５（図２７（ａ））を表示し（ステップＳ１１７，ステップＳ１１８）、ステップＳ１５１（図１７）に進む。このとき、目的地が設定されていないときには、当該画面には地図画像と現在位置を表わすマークとが表示されれ、目的地が設定されているときには、更に経路誘導路が表示される。
【００９７】
ステップＳ１２１〜ステップＳ１２４：隊列走行モードフラグＦＴ＝１であるとき、或いはＦＴ＝０であっても自車速が０であるときにはディスプレイ３１に表示画面１３（図２６（ａ））を表示し、一方、隊列走行モードフラグＦＴ＝０であって自車速が０より大きいときには、ディスプレイ３１に所定時間にわたって表示画面７（図２３（ａ））を表示した後で表示画面３（図２１（ａ））を表示し、ステップＳ１１５に戻る。
【００９８】
ステップＳ１２５〜ステップＳ１２６，ステップＳ１３０〜ステップＳ１３１：表示中の表示画面１３（図２６（ａ））において、「目的地マニュアル設定」が選択されたときにはディスプレイ３１に表示画面１４（図２６（ｂ））を表示し、後述する端末３００にて設定された目的地を設定可能な「＊月＊日設定の目的地」が選択されたときには、最も最近に外部から受信した目的地設定データに基づいて新たな目的地を設定する。
【００９９】
ステップＳ１２７〜ステップＳ１２９：表示中の表示画面１４（図２６（ｂ））における操作者の地図スクロールスイッチ２８による変更操作に応じて地図画像をスクロールすると共に、「設定」が選択されたときにはステップＳ１３２に進み、「戻る」が選択されたときにはステップＳ１２７に戻る。
【０１００】
ステップＳ１３２：地図画像、現在位置を表わすマーク、並びに設定された目的地がへの経路誘導路が含まれる表示画面１５（図２７（ａ））をディスプレイ３１に表示し、ステップＳ１５１（図１７）に進む。
【０１０１】
次に、図１６において、ステップＳ１４１〜ステップＳ１４４：表示中の表示画面１２（図２５（ｂ））において、「情報源選択」が選択されたときにはステップＳ７４（図１３）に進み、「検索」が選択されたときにはステップＳ１４５に進み、「目的地設定」が選択されたときにはステップＳ９３（図１４）に進み、「ＴＶ」スイッチが選択されたときにはステップＳ１６１（図１８）に進む。
【０１０２】
ステップＳ１４５〜ステップＳ１４８：隊列走行モードフラグＦＴ＝１であるとき、或いはＦＴ＝０であっても自車速が０であるときにはディスプレイ３１に検索リスト表示画面（図２９）を表示し、一方、隊列走行モードフラグＦＴ＝０であって自車速が０より大きいときには、ディスプレイ３１に上記の所定時間にわたって表示画面７（図２３（ａ））を表示した後で表示画面１２（図２５（ｂ））を表示し、ステップＳ１４１に戻る。
【０１０３】
ステップＳ１４９，ステップＳ１５０：表示中の検索リスト表示画面（図２９）において何れかのシンボルが選択されたときには、選択されたシンボルに応じて地図情報に予め関連付けされている各種サービス情報の検索を行い、その結果を表わす表示画面を例えば図３０（この場合はレストランの所在）の如く表示し、ステップＳ７１にリターンする。
【０１０４】
次に、図１７において、ステップＳ１５１〜ステップＳ１５４：表示中の表示画面１５（図２７（ａ））において、「情報源選択」が選択されたときにはステップＳ７４（図１３）に進み、「検索」が選択されたときにはステップＳ１５５に進み、「目的地設定」が選択されたときにはステップＳ１２１（図１５）に進み、「ＴＶ」スイッチが選択されたときにはステップＳ１６１（図１８）に進む。
【０１０５】
ステップＳ１５５〜ステップＳ１５８：隊列走行モードフラグＦＴ＝１であるとき、或いはＦＴ＝０であっても自車速が０であるときにはディスプレイ３１に検索リスト表示画面（図２９）を表示し、一方、隊列走行モードフラグＦＴ＝０であって自車速が０より大きいときには、ディスプレイ３１に上記の所定時間にわたって上記の表示画面７（図２３（ａ））を表示した後で表示画面１５（図２７（ａ））を表示し、ステップＳ１５１に戻る。
【０１０６】
ステップＳ１５９，ステップＳ１６０：表示中の検索リスト表示画面（図２９）において何れかのシンボルが選択されたときには、選択されたシンボルに応じて地図情報に予め関連付けされている各種サービス情報の検索を行い、その結果を表わす表示画面を例えば図３０（この場合はレストランの所在）の如く表示し、ステップＳ７１にリターンする。
【０１０７】
次に、図１８において、ステップＳ１６１〜ステップＳ１６４：隊列走行モードフラグＦＴ＝１であるとき、或いはＦＴ＝０であっても自車速が０であるときにはディスプレイ３１に表示画面Ｂ（図２８（ｂ））を表示し、一方、隊列走行モードフラグＦＴ＝０であって自車速が０より大きいときには、ディスプレイ３１に所定時間にわたって表示画面Ｃ（図２８（ｃ））を表示した後で、今回の制御周期においてステップＳ１６１の判断を行う前の処理ステップがステップＳ７２（図１３）のときには表示画面Ａ（図２８（ａ））、ステップＳ１４４（図１６）のときには表示画面１２（図２５（ｂ））、そしてステップＳ１５４（図１７）のときには表示画面１５（図２７（ａ））を表示し、ステップＳ７１にリターンする。
【０１０８】
ステップＳ１６５：テレビ放送を表示中の表示画面Ｂ（図２８（ｂ））において「ナビゲーション」が選択されたときにはステップＳ７４（図１３）に進み、選択が行われないときにはステップＳ７１にリターンする。
【０１０９】
＜道路地図情報配信センタ２００（ナビゲーション制御ユニット２との通信を行う場合）＞
図１９は、ナビゲーション制御ユニット２との通信を行う場合に道路地図情報配信センタ２００にて行われる道路地図情報の配信処理を示すフローチャートであり、上述したナビゲーション制御処理において表示画面４（図２１（ｂ））にて入力されたＩＤ情報をナビゲーション制御ユニット２が送信する（図１３のステップＳ８１）のに応じて開始される。
【０１１０】
同図において、ステップＳ１７１〜ステップＳ１７４：受信したＩＤ情報がデータベースに既に登録されている契約者の情報と一致するかを判断すると共に、契約内容を参照することによって認証を行い、サービスを受けられない利用者のときにはその理由を表わす画面を表示させるための情報を当該利用者に対して送信し、地図情報等を配信可能な利用者のときには認証完了信号を送信する。
【０１１１】
ステップＳ１７５：認証が完了したので、ナビゲーションプログラムと道路地図情報等の配信を開始し、ステップＳ１７１にリターンする。
【０１１２】
上述したナビゲーション制御ユニット２におけるナビゲーション制御処理によれば、ドライバの運転操作によるマニュアル走行（車速＞０）が行われている隊列走行モードフラグＦＴ＝０のときには、ドライバが前方への注視動作を怠ることを防止するため、テレビの画像表示、ナビゲーション制御ユニット２への目的地の設定操作、或いはインターネットによる情報検索操作が禁止されるが、自動的な隊列走行が行われている隊列走行モードフラグＦＴ＝１のときには、これらの表示や入力操作に対する規制が緩和され、操作可能になるので、ドライバの覚醒度が過度に低下した状態における隊列走行を防止することができる。
【０１１３】
＜端末３００＞
上述した道路地図情報の配信契約処理（図１０）により、道路地図情報配信センタ２００との間で配信契約がなされれば、端末３００であっても地図画像の表示や所望の目的地への経路誘導を行うことができる。ここでは、その手順について、図３１乃至図３３を参照して説明する。
【０１１４】
図３１乃至図３３は、本実施形態における端末３００のナビゲーション制御処理を示すフローチャートであり、操作者が端末３００を起動した状態で当該処理を開始する所定の操作を行うのに応じて開始される。
【０１１５】
ステップＳ１８１〜ステップＳ１８３：ディスプレイに表示された表示画面４（図２１（ｂ））において、操作者によって所定のＩＤ情報が入力され、且つ「送信」が選択されたときにはステップＳ１８４に進み、「戻る」が選択されたときにはステップＳ１８１に戻る。
【０１１６】
ステップＳ１８４，ステップＳ１８６：ステップＳ１８４にて道路地図情報配信センタ２００との通信を確立し、入力されたＩＤ情報を送信すると共に、ディスプレイに表示画面５（図２２（ａ））を表示し、道路地図情報配信センタ２００から認証完了信号を受信するまで待機する。そして認証が完了したときには、ディスプレイに表示画面６（図２２（ｂ））を表示する。
【０１１７】
ステップＳ１８７，ステップＳ１８８：道路地図情報配信センタ２００からナビゲーション制御プログラム及び道路地図情報を受信するまで待機する。そして、それらのデータの受信が完了したときには、ディスプレイに表示画面９（図２４（ａ））表示し、ステップＳ１８９（図３２）に進む。
【０１１８】
次に、図３２において、ステップＳ１８９〜ステップＳ１９１：表示中の表示画面９（図２４（ａ））において、「目的地設定」が選択されたときにはステップＳ１９２に進み、「現在位置表示・経路誘導」が選択されたときには地図画像と現在位置を表わすマークを含む表示画面１２（図２５（ｂ））をディスプレイに表示し、ステップＳ１９９（図３３）に進む。
【０１１９】
ステップＳ１９２〜ステップＳ１９４：表示中の表示画面１０（図２４（ｂ））において、「目的地マニュアル設定」が選択されたときにはディスプレイに表示画面１１（図２５（ａ））を表示する。
【０１２０】
ステップＳ１９５〜ステップＳ１９７：表示中の表示画面１１（図２５（ａ））における操作者の変更操作に応じて地図画像をスクロールすると共に、「設定」が選択されたときにはステップＳ１９８に進み、「戻る」が選択されたときにはステップＳ１９２に戻る。
【０１２１】
ステップＳ１９８：地図画像、現在位置を表わすマーク、並びに設定された目的地がへの経路誘導路が含まれる表示画面１６（図２７（ｂ））をディスプレイに表示し、ステップＳ１９９（図３３）に進む。
【０１２２】
次に、図３３において、ステップＳ１９９〜ステップＳ２０２：「検索」が選択されたときにはステップＳ２０３に進み、「目的地設定」が選択されたときにはステップＳ１９２（図３２）に進み、所定の送信キーが操作されたときにはステップＳ２００にて車両１００のナビゲーション制御ユニット２との通信を行うことにより、目的地設定データを設定が行われた日付（送信タイミングの日付でもよい）と共に送信し、ステップＳ１８１にリターンする。
【０１２３】
ステップＳ２０４，ステップＳ２０５：表示中の検索リスト表示画面（図２９）において何れかのシンボルが選択されたときには、選択されたシンボルに応じて地図情報に予め関連付けされている各種サービス情報の検索を行い、その結果を表わす表示画面を例えば図３０（この場合はレストランの所在）の如く表示し、ステップＳ１８１にリターンする。
【０１２４】
＜道路地図情報配信センタ２００（端末３００との通信を行う場合）＞
図３４は、端末３００との通信を行う場合に道路地図情報配信センタ２００にて行われる道路地図情報の配信処理を示すフローチャートであり、上述した端末３００のナビゲーション制御処理において表示画面４（図２１（ｂ））にて入力されたＩＤ情報をナビゲーション制御ユニット２が送信する（図３１のステップＳ１８４）のに応じて開始される。
【０１２５】
同図において、ステップＳ２１１〜ステップＳ２１４：受信したＩＤ情報がデータベースに既に登録されている契約者の情報と一致するかを判断すると共に、契約内容を参照することによって認証を行い、サービスを受けられない利用者のときにはその理由を表わす画面を表示させるための情報を当該利用者に対して送信し、地図情報等を配信可能な利用者のときには認証完了信号を送信する。
【０１２６】
ステップＳ２１５：認証が完了したので、ナビゲーションプログラムと道路地図情報等の配信を開始し、ステップＳ２１１にリターンする。
【図面の簡単な説明】
【図１】本実施形態における車両用制御装置のシステム全体の構成を示すブロック構成図である。
【図２】本実施形態における車両制御ユニット１が行う隊列走行制御処理を示すフローチャートである。
【図３】本実施形態における車両制御ユニット１が行う隊列走行制御処理を示すフローチャートである。
【図４】本実施形態における車両制御ユニット１が行う隊列走行制御処理を示すフローチャートである。
【図５】本実施形態における覚醒度判定ユニット３が行う覚醒度判定処理を示すフローチャートである。
【図６】本実施形態におけるシート姿勢制御ユニット４が行うシートバック姿勢制御処理を示すフローチャートである。
【図７】シート姿勢制御ユニット４の制御対象となる運転席のシート構造を示す図である。
【図８】本実施形態における通信ナビゲーションシステムの全体構成を示すブロック図である。
【図９】本実施形態における道路地図情報配信センタ２００（サーバコンピュータ２０２）にて行われる道路地図情報の配信契約処理を示すフローチャートである。
【図１０】本実施形態における車両１００（ナビゲーション制御ユニット２）または端末３００にて行われる道路地図情報の配信契約処理を示すフローチャートである。
【図１１】道路地図情報の配信契約処理において購入契約端末にて表示される画面を示す図である。
【図１２】道路地図情報の配信契約処理において購入契約端末にて表示される画面を示す図である。
【図１３】本実施形態における車両１００（ナビゲーション制御ユニット２）にて行われるナビゲーション制御処理を示すフローチャートである。
【図１４】本実施形態における車両１００（ナビゲーション制御ユニット２）にて行われるナビゲーション制御処理を示すフローチャートである。
【図１５】本実施形態における車両１００（ナビゲーション制御ユニット２）にて行われるナビゲーション制御処理を示すフローチャートである。
【図１６】本実施形態における車両１００（ナビゲーション制御ユニット２）にて行われるナビゲーション制御処理を示すフローチャートである。
【図１７】本実施形態における車両１００（ナビゲーション制御ユニット２）にて行われるナビゲーション制御処理を示すフローチャートである。
【図１８】本実施形態における車両１００（ナビゲーション制御ユニット２）にて行われるナビゲーション制御処理を示すフローチャートである。
【図１９】ナビゲーション制御ユニット２との通信を行う場合に道路地図情報配信センタ２００にて行われる道路地図情報の配信処理を示すフローチャートである。
【図２０】ナビゲーション制御処理においてナビゲーション制御ユニット２にて表示される画面を示す図である。
【図２１】ナビゲーション制御処理においてナビゲーション制御ユニット２にて表示される画面を示す図である。
【図２２】ナビゲーション制御処理においてナビゲーション制御ユニット２にて表示される画面を示す図である。
【図２３】ナビゲーション制御処理においてナビゲーション制御ユニット２にて表示される画面を示す図である。
【図２４】ナビゲーション制御処理においてナビゲーション制御ユニット２にて表示される画面を示す図である。
【図２５】ナビゲーション制御処理においてナビゲーション制御ユニット２にて表示される画面を示す図である。
【図２６】ナビゲーション制御処理においてナビゲーション制御ユニット２にて表示される画面を示す図である。
【図２７】ナビゲーション制御処理においてナビゲーション制御ユニット２にて表示される画面を示す図である。
【図２８】ナビゲーション制御処理においてナビゲーション制御ユニット２にて表示される画面を示す図である。
【図２９】ナビゲーション制御処理においてナビゲーション制御ユニット２にて表示される画面を示す図である。
【図３０】ナビゲーション制御処理においてナビゲーション制御ユニット２にて表示される画面を示す図である。
【図３１】本実施形態における端末３００のナビゲーション制御処理を示すフローチャートである。
【図３２】本実施形態における端末３００のナビゲーション制御処理を示すフローチャートである。
【図３３】本実施形態における端末３００のナビゲーション制御処理を示すフローチャートである。
【図３４】端末３００との通信を行う場合に道路地図情報配信センタ２００にて行われる道路地図情報の配信処理を示すフローチャートである。
【符号の説明】
１：車両制御ユニット，
２：ナビゲーション制御ユニット，
３：覚醒度判定ユニット，
４：シート姿勢制御ユニット，
１１：隊列合流スイッチ，
１２：隊列離脱スイッチ，
１３：路車間通信機，
１４：距離センサ，
１５：車車間通信機，
１６：レーンマーカセンサ，
１７：車速センサ，
１８：加減速制御用アクチュエータ，
１９：操舵系制御用アクチュエータ，
２０：隊列走行用ディスプレイ，
２１：撮影装置，
２２：無線通信機，
２３：ＧＰＳセンサ，
２４：ナビゲーションメインスイッチ，
２５：ナビゲーション機能選択スイッチ，
２６：実行指示スイッチ，
２７：キャンセルスイッチ，
２８：地図スクロールスイッチ，
２９：地図情報記憶モジュール，
３０：テレビアンテナ，
３１：ナビゲーション用ディスプレイ，
３２：リクライニング角度センサ，
３３：リクライニング角度調整機構，
３４：リクライニング角度調整スイッチ，
３５：リモートコントロール端末，
１００：車両，
２００：道路地図情報配信センタ，
２０１：ホストコンピュータ，
２０２：サーバコンピュータ，
２０３，２０４：通信装置，
３００：情報端末，
【図１】
0004605530.tif 000002
【図２】
0004605530.tif 000003
【図３】
0004605530.tif 000004
【図４】
0004605530.tif 000005
【図５】
0004605530.tif 000006
【図６】
0004605530.tif 000007
【図７】
0004605530.tif 000008
【図８】
0004605530.tif 000009
【図９】
0004605530.tif 000010
【図１０】
0004605530.tif 000011
【図１１】
0004605530.tif 000012
【図１２】
0004605530.tif 000013
【図１３】
0004605530.tif 000014
【図１４】
0004605530.tif 000015
【図１５】
0004605530.tif 000016
【図１６】
0004605530.tif 000017
【図１７】
0004605530.tif 000018
【図１８】
0004605530.tif 000019
【図１９】
0004605530.tif 000020
【図２０】
0004605530.tif 000021
【図２１】
0004605530.tif 000022
【図２２】
0004605530.tif 000023
【図２３】
0004605530.tif 000024
【図２４】
0004605530.tif 000025
【図２５】
0004605530.tif 000026
【図２６】
0004605530.tif 000027
【図２７】
0004605530.tif 000028
【図２８】
0004605530.tif 000029
【図２９】
0004605530.tif 000030
【図３０】
0004605530.tif 000031
【図３１】
0004605530.tif 000032
【図３２】
0004605530.tif 000033
【図３３】
0004605530.tif 000034
【図３４】
0004605530.tif 000035